(57)【要約】【課題】規格が異なる複数のＡＴＭが混在したＡＴＭ監視システムの提供【解決手段】自己の状態情報を複数項目の組み合わせからなる特定規格のメッセージとして発するＡＴＭ１０１と、このＡＴＭ１０１からのメッセージに基づいたＡＴＭ動作状態を監視するＡＴＭ監視プログラム１０３を実行するＡＴＭ監視サーバー３０３とを備えるＡＴＭ監視システムにおいて、メッセージ切り替えプログラム３０５が、前記規格外のＡＴＭ２０１からのメッセージを特定規格の規格情報に基づいてイベントＩＤを付与した複数の項目情報に変換するメッセージ変換機能３０６と、この変換した複数の項目情報を記憶する共有エリア機能３０９と、この記憶した複数の項目情報を特定規格の規格情報に及びイベントＩＤに基づいて特定規格のメッセージに編集し、ＡＴＭ監視プログラム１０３に出力するＡＴＭメッセージ編集工程とを実行するもの。【選択図】図４
2012043314.tif 000002
【特許請求の範囲】
【請求項１】
自己の状態情報を複数項目の組み合わせからなる特定規格のメッセージとして発する現金自動取引装置と、前記現金自動取引装置と接続され、前記現金自動取引装置からのメッセージに基づいた現金自動取引装置の動作状態を監視する現金自動取引装置監視プログラムを実行する制御部を有する現金自動取引装置監視サーバーとを備える現金自動取引装置監視システムのメッセージ切り替えプログラムであって、前記制御部に、前記特定規格の規格情報を記憶し、前記記憶した特定規格の規格情報に基づいて前記特定規格のメッセージをイベント識別子を付与した複数の項目情報に変換するメッセージ変換機能と、前記メッセージ変換機能によって変換した複数の項目情報を記憶する共有エリア機能と、前記共有エリア機能に記憶した複数の項目情報を前記特定規格の規格情報及び前記イベント識別子に基づいて前記特定規格のメッセージに編集し、前記現金自動取引装置監視プログラムに出力する現金自動取引装置メッセージ編集機能とを実現させるためのメッセージ切り替えプログラム。
【請求項２】
前記制御部に、前記特定規格の規格情報に基づいて前記特定規格のメッセージを複数の項目情報に分割し、前記分割した複数の項目情報のイベント内容に合わせたイベント識別子を付与することによって、前記特定規格のメッセージをイベント識別子を付与した複数の項目情報に変換するメッセージ変換機能を実現させる請求項１記載のメッセージ切り替えプログラム。
【請求項３】
前記制御部に、前記共有エリア機能に記憶した複数の項目情報を、前記項目情報に付与されたイベント識別子に基づいて前記特定規格のメッセージに編集する現金自動取引装置メッセージ編集機能を実現させる請求項１又は２記載のメッセージ切り替えプログラム。
【請求項４】
自己の状態情報を複数項目の組み合わせからなる特定規格のメッセージとして発する現金自動取引装置と、前記現金自動取引装置と接続され、前記現金自動取引装置からのメッセージに基づいた現金自動取引装置の動作状態を監視する現金自動取引装置監視プログラムを実行する制御部を有する現金自動取引装置監視サーバーとを備える現金自動取引装置監視システムのメッセージ切り替え方法であって、前記制御部が、前記特定規格の規格情報を記憶し、前記記憶した特定規格の規格情報に基づいて前記特定規格のメッセージをイベント識別子を付与した複数の項目情報に変換するメッセージ変換工程と、前記メッセージ変換工程によって変換した複数の項目情報を記憶する共有エリア工程と、前記共有エリア工程に記憶した複数の項目情報を前記特定規格の規格情報及び前記イベント識別子に基づいて前記特定規格のメッセージに編集し、前記現金自動取引装置監視プログラムに出力する現金自動取引装置メッセージ編集工程とを実行するメッセージ切り替え方法。
【請求項５】
前記制御部が、前記特定規格の規格情報に基づいて前記特定規格のメッセージを複数の項目情報に分割し、前記分割した複数の項目情報のイベント内容に合わせたイベント識別子を付与することによって、前記特定規格のメッセージをイベント識別子を付与した複数の項目情報に変換するメッセージ変換工程を実行する請求項４記載のメッセージ切り替え方法。
【請求項６】
前記制御部が、前記共有エリア機能に記憶した複数の項目情報を、前記項目情報に付与されたイベント識別子に基づいて前記特定規格のメッセージに編集する現金自動取引装置メッセージ編集工程を実行する請求項４又は５記載のメッセージ切り替え方法。
【請求項７】
自己の状態情報を複数項目の組み合わせからなる特定規格のメッセージとして発する監視対象装置と、前記監視対象装置と接続され、前記監視対象装置からのメッセージに基づいた監視対象装置の動作状態を監視する監視対象装置監視プログラムを実行する制御部を有する監視対象装置監視サーバーとを備える監視対象装置監視システムのメッセージ切り替えプログラムであって、前記制御部に、前記特定規格の規格情報を記憶し、前記記憶した特定規格の規格情報に基づいて前記特定規格のメッセージをイベント識別子を付与した複数の項目情報に変換するメッセージ変換機能と、前記メッセージ変換機能によって変換した複数の項目情報を記憶する共有エリア機能と、前記共有エリア機能に記憶した複数の項目情報を前記特定規格の規格情報及び前記イベント識別子に基づいて前記特定規格のメッセージに編集し、前記監視対象装置監視プログラムに出力する監視対象装置メッセージ編集機能とを実現させるためのメッセージ切り替えプログラム。
【請求項８】
自己の状態情報を複数項目の組み合わせからなる特定規格のメッセージとして発する監視対象装置と、前記監視対象装置と接続され、前記監視対象装置からのメッセージに基づいた監視対象装置の動作状態を監視する監視対象装置監視プログラムを実行する制御部を有する監視対象装置監視サーバーとを備える監視対象装置監視システムのメッセージ切り替え方法であって、前記制御部が、前記特定規格の規格情報を記憶し、前記記憶した特定規格の規格情報に基づいて前記特定規格のメッセージをイベント識別子を付与した複数の項目情報に変換するメッセージ変換工程と、前記メッセージ変換工程によって変換した複数の項目情報を記憶する共有エリア工程と、前記共有エリア工程に記憶した複数の項目情報を前記特定規格の規格情報及び前記イベント識別子に基づいて前記特定規格のメッセージに編集し、前記特定監視プログラムに出力する監視対象装置メッセージ編集工程とを実行するメッセージ切り替え方法。
【発明の詳細な説明】
【技術分野】
【０００１】
本発明は、規格が異なる特定の装置、例えば、現金自動取引装置（ＡＴＭ：Ａｕｔｏｍａｔｉｃ  Ｔｅｌｌｅｒ  Ｍａｃｈｉｎｅ）の動作状態を遠隔地から保守や運用を行うために監視するＡＴＭ監視システムおけるメッセージ切り替えプログラム及びメッセージ切り替え方法に係り、特に規格の異なる複数ＡＴＭからのメッセージを同一規格に変換して監視することができるメッセージ切り替えプログラム及びメッセージ切り替え方法に関する。
【背景技術】
【０００２】
一般に金融機関等に設置される現金自動取引装置は、遠隔地から各現金自動取引装置の動作状態を監視し、保守を行うためのＡＴＭ監視システムに接続されており、このため、前記ＡＴＭ監視システムは、各現金自動取引装置からの動作状態を示すメッセージを受信することが必要である。従来においては、金融機関等に設置される現金自動取引装置が、金融機関が選定した特定の製造販売会社から提供された装置であるため、その製造販売会社独自規格によるメッセージをＡＴＭ監視システムに送信するように構成されていた。
【０００３】
これを具体的に説明すると、従来技術によるＡＴＭ監視システムは、図１に示す如く、Ａ社製の複数のＡＴＭ１０１に接続されたＡＴＭ監視サーバー１０２がＡ社製のＡＴＭ監視プログラム１０３を用いて前記複数のＡＴＭ１０１から動作状態をメッセージとして受信し、このメッセージをＡ社製のＡＴＭ監視クライアント１０４に報告するように構成され、Ａ社製独自の規格によって動作状態の監視が行われていた。
【０００４】
また、図２に示す如く、Ｂ社製の複数のＡＴＭ２０１に接続されたＡＴＭ監視サーバー１０２がＡ社製のＡＴＭ監視プログラム１０３を用いて前記複数のＡＴＭ２０１から動作状態をメッセージとして受信する場合、ＡＴＭ２０１に対してＢ社規格のメッセージをＡ社規格に変換するためのプログラム改修を行い、このＡ社規格に変換されたメッセージをＡ社製のＡＴＭ監視クライアント１０４に報告するように構成されていた。
【０００５】
なお、前記複数の現金自動取扱装置の状態を監視するＡＴＭ監視システムに関する技術が記載された文献としては、下記の特許文献１が挙げられ、この特許文献１には、ＡＴＭ監視システムが複数の現金自動取扱装置からのメッセージを定期的に受信し、この受信したメッセージを基に各現金自動取扱装置の状態を診断し、この診断結果に応じて保守員の出動拠点用コンピュータに対策指示情報を送信することが記載されている。
【先行技術文献】
【特許文献】
【０００６】
【特許文献１】特開２００３−２６３５５７号公報
【発明の概要】
【発明が解決しようとする課題】
【０００７】
前記の特許文献１に記載された技術は、複数の現金自動取扱装置からのメッセージを同一規格によって受信することを前提としているが、近年の金融機関においては、金融機関の合併統合によって規格が異なる複数の現金自動取引装置を混在して設置する傾向にあり、ＡＴＭ監視システム側では、このＡＴＭ監視システムの規格外のＡＴＭからのメッセージを受信することが困難であるという課題があった。
【０００８】
本発明の目的は、前述の従来技術による課題を除去することであり、複数規格のＡＴＭが混在したＡＴＭ監視システムにおける各ＡＴＭからのメッセージを容易に監視することができるメッセージ切り替えプログラム及びメッセージ切り替え方法を提供することである。
【課題を解決するための手段】
【０００９】
前記目的を達成するために請求項１記載の本発明は、自己の状態情報を複数項目の組み合わせからなる特定規格のメッセージとして発する現金自動取引装置と、前記現金自動取引装置と接続され、前記現金自動取引装置からのメッセージに基づいた現金自動取引装置の動作状態を監視する現金自動取引装置監視プログラムを実行する制御部を有する現金自動取引装置監視サーバーとを備える現金自動取引装置監視システムのメッセージ切り替えプログラムであって、
前記制御部に、前記特定規格の規格情報を記憶し、前記記憶した特定規格の規格情報に基づいて前記特定規格のメッセージをイベント識別子を付与した複数の項目情報に変換するメッセージ変換機能と、前記メッセージ変換機能によって変換した複数の項目情報を記憶する共有エリア機能と、前記共有エリア機能に記憶した複数の項目情報を前記特定規格の規格情報及び前記イベント識別子に基づいて前記特定規格のメッセージに編集し、前記現金自動取引装置監視プログラムに出力する現金自動取引装置メッセージ編集機能とを実現させることを特徴とする。
【００１０】
請求項２記載の発明は、前記特徴のメッセージ切り替えプログラムにおいて、前記制御部に、前記特定規格の規格情報に基づいて前記特定規格のメッセージを複数の項目情報に分割し、前記分割した複数の項目情報のイベント内容に合わせたイベント識別子を付与することによって、前記特定規格のメッセージをイベント識別子を付与した複数の項目情報に変換するメッセージ変換機能を実現させることを特徴とする。
【００１１】
請求項３記載の発明は、前記何れかの特徴のメッセージ切り替えプログラムにおいて、前記制御部に、前記共有エリア機能に記憶した複数の項目情報を、前記項目情報に付与されたイベント識別子に基づいて前記特定規格のメッセージに変換する現金自動取引装置メッセージ編集機能を実現させることを特徴とする。
【００１２】
請求項４記載の発明は、自己の状態情報を複数項目の組み合わせからなる特定規格のメッセージとして発する現金自動取引装置と、前記現金自動取引装置と接続され、前記現金自動取引装置からのメッセージに基づいた現金自動取引装置の動作状態を監視する現金自動取引装置監視プログラムを実行する制御部を有する現金自動取引装置監視サーバーとを備える現金自動取引装置監視システムのメッセージ切り替え方法であって、前記制御部が、前記特定規格の規格情報を記憶し、前記記憶した特定規格の規格情報に基づいて前記特定規格のメッセージをイベント識別子を付与した複数の項目情報に変換するメッセージ変換工程と、前記メッセージ変換工程によって変換した複数の項目情報を記憶する共有エリア工程と、前記共有エリア工程に記憶した複数の項目情報を前記特定規格の規格情報及び前記イベント識別子に基づいて前記特定規格のメッセージに編集し、前記現金自動取引装置監視プログラムに出力する現金自動取引装置メッセージ編集工程とを実行することを特徴とする。
【００１３】
請求項５記載の発明は、前記特徴のメッセージ切り替え方法において、前記制御部が、前記特定規格の規格情報に基づいて前記特定規格のメッセージを複数の項目情報に分割し、前記分割した複数の項目情報のイベント内容に合わせたイベント識別子を付与することによって、前記特定規格のメッセージをイベント識別子を付与した複数の項目情報に変換するメッセージ変換工程を実行することを特徴とする。
【００１４】
請求項６記載の発明は、前記何れかの特徴のメッセージ切り替え方法において、前記制御部が、前記共有エリア機能に記憶した複数の項目情報を、前記項目情報に付与されたイベント識別子に基づいて前記特定規格のメッセージに編集する現金自動取引装置メッセージ編集工程を実行することを特徴とする。
【００１５】
請求項７記載の発明は、自己の状態情報を複数項目の組み合わせからなる特定規格のメッセージとして発する監視対象装置と、前記監視対象装置と接続され、前記監視対象装置からのメッセージに基づいた監視対象装置の動作状態を監視する監視対象装置監視プログラムを実行する制御部を有する監視対象装置監視サーバーとを備える監視対象装置監視システムのメッセージ切り替えプログラムであって、前記制御部に、前記特定規格の規格情報を記憶し、前記記憶した特定規格の規格情報に基づいて前記特定規格のメッセージをイベント識別子を付与した複数の項目情報に変換するメッセージ変換機能と、前記メッセージ変換機能によって変換した複数の項目情報を記憶する共有エリア機能と、前記共有エリア機能に記憶した複数の項目情報を前記特定規格の規格情報及び前記イベント識別子に基づいて前記特定規格のメッセージに編集し、前記監視対象装置監視プログラムに出力する監視対象装置メッセージ編集機能とを実現させることを特徴とする。
【００１６】
請求項８記載の発明は、自己の状態情報を複数項目の組み合わせからなる特定規格のメッセージとして発する監視対象装置と、前記監視対象装置と接続され、前記監視対象装置からのメッセージに基づいた監視対象装置の動作状態を監視する監視対象装置監視プログラムを実行する制御部を有する監視対象装置監視サーバーとを備える監視対象装置監視システムのメッセージ切り替え方法であって、前記制御部が、前記特定規格の規格情報を記憶し、前記記憶した特定規格の規格情報に基づいて前記特定規格のメッセージをイベント識別子を付与した複数の項目情報に変換するメッセージ変換工程と、前記メッセージ変換工程によって変換した複数の項目情報を記憶する共有エリア工程と、前記共有エリア工程に記憶した複数の項目情報を前記特定規格の規格情報及び前記イベント識別子に基づいて前記特定規格のメッセージに編集し、前記特定監視プログラムに出力する監視対象装置メッセージ編集工程とを実行することを特徴とする。
【発明の効果】
【００１７】
本発明によるメッセージ切り替えプログラム及び方法は、現金自動取引装置を監視対象とする場合、定規格のメッセージをイベント識別子を付与した複数の項目情報に変換するメッセージ変換機能と、前記メッセージ変換機能によって変換した複数の項目情報を記憶する共有エリア機能と、前記共有エリア機能によって記憶した複数の項目情報を前記特定規格の規格情報及び前記イベント識別子に基づいて前記特定規格のメッセージに編集し、前記現金自動取引装置監視プログラムに出力する現金自動取引装置メッセージ編集工程とを実行することによって、複数規格のＡＴＭが混在するＡＴＭ監視システムにおける各ＡＴＭからのメッセージを容易に監視することができ、他の監視対象装置であっても規格が異なる装置の監視を容易に行うことができる。
【図面の簡単な説明】
【００１８】
【図１】従来技術によるＡＴＭ監視システムの第１例を示す図
【図２】従来技術によるＡＴＭ監視システムの第２例を示す図
【図３】本発明によるＡＴＭ監視システムの構成を示す図
【図４】本発明によるメッセージ切り替えプログラムの動作を示す図
【図５】本発明によるＡＴＭ監視システムの動作及びイベントＩＤ一覧を示す図
【図６】本発明によるＡＴＭ監視システムの動作を示す図
【発明を実施するための形態】
【００１９】
以下、本発明の一実施形態によるメッセージ切り替えプログラム及びメッセージ切り替え方法を説明する。
本実施形態によるメッセージ切り替えプログラム及びメッセージ切り替え方法が適用されるＡＴＭ監視システムは、図３に示す如く、Ａ社製の特定の仕様又は規格によって制御される複数のＡＴＭ１０１と、前記特定の仕様又は規格とは異なる他の仕様又は規格によって制御されるＢ社製の複数のＡＴＭ２０１と、これらＡＴＭ１０１及び２０１と接続され、Ａ社製のＡＴＭ監視プログラム１０３及びメッセージ切り替えプログラム３０５を搭載したＡＴＭ監視サーバー３０３と、このＡＴＭ監視サーバー３０３からのメッセージを受信してＡＴＭの動作監視を行うＡＴＭ監視クライアント１０４とから構成される。なお、前記ＡＴＭ監視サーバー３０３及びＡＴＭ監視クライアント１０４は、制御部であるＣＰＵ（Ｃｅｎｔｒａｌ  Ｐｒｏｃｅｓｓｉｎｇ  Ｕｎｉｔ）とメモリと基本ソフトウェア（オペレーティングシステム）及び各種ソフトウェアとデータを記憶する磁気ディスク装置等のデータ記憶手段と表示部とキーボード等の入出力機器と各種インターフェース機器とを含むものである。
【００２０】
前記メッセージ切り替えプログラム３０５は、Ｂ社製のＡＴＭ２０１からＢ社規格のメッセージを受信し、Ｂ社規格のメッセージを後記するアイテム（項目情報）の組み合わせに変換するメッセージ変換機能３０６と、このメッセージ変換機能３０６により変換したアイテムの組み合わせを一時的に格納する共有エリア機能３０９と、この共有エリア機能３０９に格納されたアイテムの組み合わせを読み込んでＡ社規格に合わせて編集するＡＴＭ監視メッセージ編集機能３０７とから構成される。
【００２１】
前記ＡＴＭ状態を示すメッセージは、データベースのレコードを構成する項目である複数のアイテムの組み合わせから１つのレコードを構成し、このレコード中のアイテムの種類とデータ長と順番が公開インターフェースとして規格化されており、例えば、ＡＴＭにおけるメッセージを構成するアイテムとしては、待機中・記帳処理開始・記帳処理終了・出金処理開始・出金処理終了・入金処理開始・入金処理終了その他のＡＴＭにおける各種取引項目が挙げられ、メッセージ内容に応じたイベントＩＤ（イベント識別子）が付与されている。このイベントＩＤ（イベント識別子）は、例えば、図５（ｂ）に示す如く、イベントＩＤ「ＭＳＧ０００」が「書き込み開始」、イベントＩＤ「ＭＳＧ００１」が「ＡＴＭ状態通知」、イベントＩＤ「ＭＳＧ００２」が「ＡＴＭ障害検知」、イベントＩＤ「ＭＳＧ００３」が「ＡＴＭ集計通知」、イベントＩＤ「ＭＳＧ１００」が「書き込み終了」の各イベント内容に対応して予め登録されている。
【００２２】
このように構成されたＡＴＭ監視システムのメッセージ切り替えプログラム３０５は、図４に示す如く、前記ＡＴＭ監視メッセージ編集機能３０７が、Ａ社規格メッセージのソフトウェアインターフェースをメッセージ変換機能３０６に出力する工程（ａ）と、このＡ社規格のメッセージのソフトウェアインターフェースを受けたメッセージ変換機能３０６がＢ社製のＡＴＭ２０１から送られたＢ社規格のメッセージを前記受信したＡ社メッセージのソフトウェアインターフェースに基づき、アイテム（項目情報）毎に分解して前記共有エリア機能３０９に格納する工程（ｂ）と、前記複数のアイテムを前記共有エリア機能３０９から読み込み、Ａ社規格のメッセージに編集するＡＴＭ監視メッセージ編集工程（ｃ）とを実行することによって、Ｂ社製のＡＴＭ２０１からのメッセージをＡ社規格のメッセージに変換することができる。なお、ソフトウェアインターフェースとは、プログラム間でデータをやり取りする手順や形式を定めた規格情報であり、前記共有エリア機能３０９は、コンピュータのメモリにデータを書き込むための記憶エリアを提供する機能である。
【００２３】
前記Ｂ社規格のメッセージをアイテム（項目情報）毎に分解して共有エリア機能３０９に格納する工程（ｂ）は、図５（ａ）に示す如く、ＡＴＭ２０１からのメッセージを受信したとき、イベントＩＤ（イベント識別子）、本例では「ＭＳＧ０００」を生成して当該イベントＩＤを前記共有エリア機能３０９に書き込むステップ５０１と、複数のアイテムＡ乃至Ｄから成るＡＴＭ監視システム宛のメッセージデータにイベントＩＤを付与して前記共有エリア機能３０９に書き込むステップ５０２と、プログラムが終了か否かを判定し、終了でないと判定したときに前記ステップ５０１の出力に戻るステップ５０３と、このステップ５０３によってプログラムが終了と判定したとき、イベント書き込みの終了を示すイベントＩＤ「ＭＳＧ１００」を前記共有エリア機能３０９に書き込むステップ５０４とを順次実行することによって行われる。
【００２４】
前記Ａ社規格のメッセージに変換するＡＴＭ監視メッセージ編集工程（ｃ）は、図６に示す如く、立ち上げ時に共有エリア機能３０９の最新のレコード位置（アドレス）を取得し、この取得したレコード位置を最新レコード位置として保持するステップ６０１と、データ書き込み開始のイベントＩＤ「ＭＧＳ００１」が共有エリア機能３０９に書き込まれるのを監視し、書き込み開始イベントＩＤ「ＭＧＳ００１」が書き込まれていないと判定したときに前記ステップ６０１の出力に戻るステップ６０２と、このステップ６０２において書き込み開始イベントＩＤ「ＭＧＳ００１」が書き込まれたと判定したとき、イベントＩＤが「ＭＳＧ０００」（終了イベント）か否かを判定し、イベントＩＤが「ＭＳＧ０００」（終了イベント）でないと判定したとき、前記ステップ６０２に戻るステップ６０３とを実行する。
【００２５】
次いで、ＡＴＭ監視メッセージ編集工程（ｃ）は、前記ステップ６０３によってイベントＩＤが「ＭＳＧ０００」（終了イベント）であると判定したとき、イベントＩＤ「ＭＧＳ００１」と「ＭＧＳ００２」と「ＭＧＳ００３」が共有エリア機能３０９に書き込まれるのを監視し、これらイベントＩＤが書き込まれていないと判定したときに前記ステップ６０３の出力の出力に戻るステップ６０４と、このステップ６０４によって前記イベントＩＤ「ＭＧＳ００１」と「ＭＧＳ００２」と「ＭＧＳ００３」の何れかのイベントＩＤが書き込まれたと判定したとき、書き込まれたイベントＩＤが「ＭＧＳ１００」（終了通知）以外か否かを判定し、イベントＩＤが「ＭＧＳ１００」（終了通知）でないと判定したとき、前記ステップ６０２に戻るステップ６０５と、このステップ６０５によってイベントＩＤが「ＭＧＳ１００」（終了通知）であると判定したとき、メッセージ変換機能３０６の動作が終了したことを判定し、アイテム（項目情報）を編集してＡ社規格のメッセージを生成するステップ６０６と、最新レコード位置（アドレス）を更新して前記ステップ６０２に戻るステップ６０７とを実行する。前記ステップ６０６は、イベントＩＤを取得するステップ６０８と、この取得したイベントＩＤに基づきアイテムの編集を行ってＡ社規格のメッセージを生成するステップ６０９を実行することによって、アイテム（項目情報）を編集したＡ社規格のメッセージを生成する。
【００２６】
これら処理によって本実施形態によるメッセージ切り替えプログラム３０５は、仕様が異なる複数の製造販売会社のＡＴＭが混在したＡＴＭ監視システムにおいて、ＡＴＭ監視サーバー３０３が標準で監視対象とする以外の製造販売会社によって製造販売されたＡＴＭからのメッセージを特定仕様のインターフェースに基づいてメッセージ変換機能３０６がイベントＩＤを付与したアイテム（項目情報）に分解する変換を行う工程と、この分解したアイテムを前記共有エリア機能３０９に格納する工程と、前記ＡＴＭ監視メッセージ編集機能３０７が前記アイテムの組み合わせを前記共有エリア機能３０９から読み込み、特定仕様のメッセージに編集する工程と、このメッセージをＡＴＭ監視プログラム１０３がＡＴＭ監視クライアント１０４に送信する工程とを実行することによって、規格が異なる複数のＡＴＭが混在した複数ＡＴＭの監視を行うことができる。
【００２７】
なお、前述の実施形態においてはメッセージ切り替えプログラム３０５が特定仕様のメッセージに変換する例を説明したが、本発明は、前記メッセージ変換機能３０６と共有エリア機能３０９とＡＴＭ監視メッセージ編集機能３０７とをハードウェアによって構成しても良く、更にコンピュータの基本ソフトウェアにプラグインソフトウェアを組み合わせることよって構成しても良い。
【００２８】
本実施形態によるメッセージ切り替えプログラム及び方法は、ＡＴＭ監視システムにおいて、ＡＴＭ監視システムを構築した規格が異なる複数のＡＴＭをＡＴＭ監視システムに接続する際、ＡＴＭ側の改造を行うことなく監視環境を構築することができる。また、ＡＴＭプログラム改修の必要がないため、環境構築時間を短縮することができ、ＡＴＭ監視システム側の仕様が変更となった場合でも、ＡＴＭ監視サーバー内のメッセージ切り替えプログラムの改修のみで対応できる。
【００２９】
さらに、前記実施形態においては監視対象装置して、ＡＴＭを対象とする例を説明したが、監視対象装置としてはＡＴＭに限られるものではなく、例えば、製造販売会社が異なるエレベーター装置を監視対象の装置としても良い。この場合、本発明は、自己の状態情報を複数項目の組み合わせからなる特定規格のメッセージとして発するエレベータ装置と、前記エレベータ装置と接続され、前記エレベータ装置からのメッセージに基づいたエレベータ装置の動作状態を監視するエレベータ装置監視プログラムを実行する制御部を有するエレベータ装置監視サーバーとを備えるエレベータ装置監視システムのメッセージ切り替えプログラムであって、前記制御部に、前記特定規格の規格情報を記憶し、前記記憶した特定規格の規格情報に基づいて前記特定規格のメッセージをイベント識別子を付与した複数の項目情報に変換するメッセージ変換機能と、前記メッセージ変換機能によって変換した複数の項目情報を記憶する共有エリア機能と、前記共有エリア機能に記憶した複数の項目情報を前記特定規格の規格情報及び前記イベント識別子に基づいて前記特定規格のメッセージに編集し、前記エレベータ装置監視プログラムに出力するエレベータ装置メッセージ編集機能とを実現させるためのメッセージ切り替えプログラムとして表すことができ、この監視対象とする装置は、他の装置であっても良い。
【符号の説明】
【００３０】
１０２  ＡＴＭ監視サーバー、１０３  ＡＴＭ監視プログラム
１０４  ＡＴＭ監視クライアント、３０３  ＡＴＭ監視サーバー
３０５  メッセージ切り替えプログラム、３０６  メッセージ変換機能
３０７  監視メッセージ編集機能、３０９  共有エリア機能
【図１】
2012043314.tif 000003
【図２】
2012043314.tif 000004
【図３】
2012043314.tif 000005
【図４】
2012043314.tif 000006
【図５】
2012043314.tif 000007
【図６】
2012043314.tif 000008